(57)【要約】【課題】ルーバーを装着状態に応じてシャッターを開くことができ、また閉じた状態を維持できる換気グリルを提供することを目的とする。【解決手段】給気または排気の通風路を形成する通風管に装着される形状で一端に外方に向かい突出するフランジ部１を設けた筒部２と、この筒部２の室内側開口３を開閉するように前記筒部内に左右に分離して回動自在に設けられる１対のシャッター５と、前記フランジ部１を覆うように着脱可能に装着されるルーバー６とを備え、前記ルーバー６の内面に１対の第１の突起７を設け、前記ルーバー６を装着することによって、１対の第１の突起７が前記シャッター５を押しあて、前記シャッター５を回動し、開く構成とした換気グリルを構成してルーバー６を装着されると第１の突起７がシャッター５を回動させて開状態にする。【選択図】図１
2008267763.tif 000002
【特許請求の範囲】
【請求項１】
給気または排気の通風路を形成する通風管に装着される形状で一端に外方に向かい突出するフランジ部を設けた筒部と、この筒部の室内側開口を開閉するように前記筒部内に左右に分離して回動自在に設けられる１対のシャッターと、前記フランジ部を覆うように着脱可能に装着されるルーバーとを備え、前記ルーバーの内面に１対の第１の突起を設け、前記ルーバーを装着することによって、１対の突起が前記シャッターを押しあて、前記シャッターを回動し、開く構成とした換気グリル。
【請求項２】
シャッターの合わせ目に１対の第１の突起が収まる切り欠きを設け、前記ルーバーを９０度回転したときに前記切欠きと前記第１の突起が勘合する構成とした請求項１記載の換気グリル。
【請求項３】
第１の突起と直交してシャッターの回転する軸位置に当接する１対の第２の突起を設けた構成とした請求項１、２のいずれかに記載の換気グリル。
【請求項４】
シャッターの回転する軸に摩擦係数の大きくする凹凸を設け、ルーバーの内面に前記凹凸に当接する第３の突起を設けた構成とした請求項１、２、３のいずれかに記載の換気グリル。
【請求項５】
第１の突起をシャッターの回転軸に対して直角方向に摺動可能にする構成とした請求項１、２、３、４のいずれかに記載の換気グリル。
【請求項６】
第１の突起の近傍に目盛りを設けた構成とした請求項５記載の換気グリル。
【請求項７】
１対のシャッターの回動軸をフランジ部表面に対し、角度付けて設けた構成とした請求項１記載の換気グリル。
【発明の詳細な説明】
【技術分野】
【０００１】
本発明は、給気や排気のための通風路の端末に装着される換気グリルに関する。
【背景技術】
【０００２】
近年、建物の高気密化にともない、換気の重要性が高まりつつあり、換気装置を設置することが普及してきている。
【０００３】
従来、この種の換気グリルは、本体部にシャッターを設け、本体部を覆うルーバーを設けたものが知られている（例えば、特許文献１参照）。
【０００４】
以下、その構成について図１７を参照にしながら説明する。
【０００５】
図に示すように、給気または排気の通風路を形成する通風管に装着される形状で一端に外方に向かい突出するフランジ部１０１を設けた筒部１０２と、フランジ部１０１を覆うように着脱可能に装着されるルーバー１０３を設け、このフランジ部１０１の前面に開口部１０４の開口を全開から全閉まで開閉調節できるスライドする２枚の引き戸式のシャッター１０５が装着されている。
【特許文献１】特許第２８６２０６９号公報（第７頁、図１）
【発明の開示】
【発明が解決しようとする課題】
【０００６】
このような従来の換気グリルでは、ルーバーを取り外して、シャッターを開の位置又は閉の位置に操作してから、ルーバーを装着していたため、シャッターの開閉の状態を設定してからルーバーを取り付けていたという課題があった。
【０００７】
本発明は、このような従来の課題を解決するもので、ルーバーを装着状態に応じてシャッターを開くことができ、また閉じた状態を維持できる換気グリルを提供することを目的とする。
【課題を解決するための手段】
【０００８】
前記課題を解決するために、本発明の換気グリルは、給気または排気の通風路を形成する通風管に装着される形状で一端に外方に向かい突出するフランジ部を設けた筒部と、この筒部の室内側開口を開閉するように前記筒部内に左右に分離して回動自在に設けられる１対のシャッターと、前記フランジ部を覆うように着脱可能に装着されるルーバーとを備え、前記ルーバーの内面に１対の第１の突起を設け、前記ルーバーを装着することによって、１対の突起が前記シャッターを押しあて、前記シャッターを回動し、開く構成としたものである。
【０００９】
この手段により、ルーバー装着の操作でシャッターを開くことができるという効果のある換気グリルが得られる。
【００１０】
また、他の手段は、シャッターの合わせ目に１対の第１の突起が収まる切り欠きを設け、前記ルーバーを９０度回転したときに前記切欠きと前記第１の突起が勘合する構成としたものである。
【００１１】
この手段により、ルーバー装着の操作でシャッターを閉めた状態に維持することができるという効果のある換気グリルが得られる。
【００１２】
また、他の手段は、第１の突起と直交してシャッターの回転する軸位置に当接する１対の第２の突起を設けた構成としたものである。
【００１３】
この手段により、ルーバー装着の操作でシャッターを開くことができ、ルーバーを９０度回転させて装着することで閉めた状態に固定できるという効果のある換気グリルが得られる。
【００１４】
また、他の手段は、シャッターの回転する軸に摩擦係数の大きくする凹凸を設け、ルーバーの内面に前記凹凸に当接する第３の突起を設けた構成としたものである。
【００１５】
この手段により、ルーバを装着した状態でシャッターが開状態又は閉状態で固定することができるという効果のある換気グリルが得られる。
【００１６】
また、他の手段は、第１の突起をシャッターの回転軸に対して直角方向に摺動可能にする構成としたものである。
【００１７】
この手段により、シャッターの開度を調節できるという効果のある換気グリルを提供することができるという効果のある換気グリルが得られる。
【００１８】
また、他の手段は、第１の突起の近傍に目盛りを設けた構成としたものである。
【００１９】
この手段により、シャッターの開度を容易にできるという効果のある換気グリルを提供することができるという効果のある換気グリルが得られる。
【００２０】
また、他の手段は、１対のシャッターの回動軸をフランジ部表面に対し、角度付けて設けた構成としたものである。
【００２１】
この手段により、壁面に取り付けた場合にもルーバーを取り外したときにシャッターを閉じることができるという効果のある換気グリルが得られる。
【発明の効果】
【００２２】
本発明の換気グリルによれば、給気または排気の通風路を形成する通風管に装着される形状で一端に外方に向かい突出するフランジ部を設けた筒部と、この筒部の室内側開口を開閉するように前記筒部内に左右に分離して回動自在に設けられる１対のシャッターと、前記フランジ部を覆うように着脱可能に装着されるルーバーとを備え、前記ルーバーの内面に１対の第１の突起を設け、前記ルーバーを装着することによって、１対の突起が前記シャッターを押しあて、前記シャッターを回動し、開く構成としたし、ルーバーを装着されると第１の突起がシャッターを回動させて開状態にすることでルーバー装着の操作でシャッターを開くことができるという効果のある換気グリルを提供することができる。
【発明を実施するための最良の形態】
【００２３】
請求項１記載の発明は、給気または排気の通風路を形成する通風管に装着される形状で一端に外方に向かい突出するフランジ部を設けた筒部と、この筒部の室内側開口を開閉するように前記筒部内に左右に分離して回動自在に設けられる１対のシャッターと、前記フランジ部を覆うように着脱可能に装着されるルーバーとを備え、前記ルーバーの内面に１対の第１の突起を設け、前記ルーバーを装着することによって、１対の突起が前記シャッターを押しあて、前記シャッターを回動し、開く構成とした換気グリルであって、ルーバーを装着されると第１の突起がシャッターを回動させて開状態にする作用を有する。
【００２４】
また、シャッターの合わせ目に１対の第１の突起が収まる切り欠きを設け、前記ルーバーを９０度回転したときに前記切欠きと前記第１の突起が勘合する構成とした換気グリルであって、ルーバーをシャッターが開状態になる位置から９０度回転させて装着することで、ルーバーの内面の第１の突起はシャッターの切り欠きに収まりシャッターを閉状態に維持する作用を有する。
【００２５】
また、第１の突起と直交してシャッターの回転する軸位置に当接する１対の第２の突起を設けた構成とした換気グリルであって、ルーバーをシャッターが開状態になる位置から９０度回転させて装着することで、ルーバーの内面の第１の突起はシャッターの切り欠きに収まりシャッターを閉状態に維持し、さらにルーバーの内面の第２の突起が回転軸に当接することでシャッターの閉状態を固定する作用を有する。
【００２６】
また、シャッターの回転する軸に摩擦係数の大きくする凹凸を設け、ルーバーの内面に前記凹凸に当接する第３の突起を設けた構成とした換気グリルであって、ルーバーを装着した際に第３の突起がシャッターの軸の凹凸に当接して、摩擦の力で開状態又は閉状態を保持する作用を有する。
【００２７】
また、第１の突起をシャッターの回転軸に対して直角方向に摺動可能にする構成とした換気グリルであって、ルーバーの突起を任意の位置に稼動して装着することですることでシャッターの開度を換えることができるという作用を有する。
【００２８】
また、第１の突起の近傍に目盛りを設けた構成とした換気グリルであって、第１の突起の位置を目盛りに合わせて装着することで開度を換えることができるという作用を有する。
【００２９】
また、１対のシャッターの回動軸をフランジ部表面に対し、角度付けて設けた構成とした換気グリルであって、壁面に取り付けた場合にもルーバーを取り外したときに自重が働きシャッターを閉じる作用を有する。
【００３０】
以下、本発明の実施の形態について図面を参照しながら説明する。
【００３１】
（実施の形態１）
図１〜図３に示すように、換気グリルは、給気または排気の通風路を形成する通風管に装着される形状で一端に外方に向かい突出するフランジ部１を設けた筒部２と、この筒部２の室内側開口３を開閉するように前記筒部２内に垂直に設けた１対の回転軸４に対して左右に分離して回動自在に設けられる１対のシャッター５と、前記フランジ部１を覆うように着脱可能に装着されるルーバー６とを備え、前記ルーバー６の内面に１対の第１の突起７を設け、前記ルーバー６を装着したときに、前記１対の第１の突起７が部分前記シャッター５の前記１対の回転軸４に対して外側の部分を押しあて、前記シャッター５を回動させ、開く構成とする。
【００３２】
上記構成により、ルーバー６を装着すると第１の突起７がシャッター５を回動させて開状態にする。
【００３３】
このように、ルーバー装着の操作でシャッターを開くことができる。
【００３４】
（実施の形態２）
本実施の形態では、実施の形態１の構成要素に対して同一のものは、同一の符号をつけてその詳細な説明は省略する。
【００３５】
図４および図５に示すように、実施の形態１のシャッター５に対して、シャッター５Ａは、合わせ目に１対の第１の突起７が収まる切り欠き８を設け、ルーバー６の垂直方向を水平方向へ回転させたときに、閉じているシャッター５Ａに対して、前記切り欠き８と第１の突起７の位置が合致する構成としたものである。すなわち、実施の形態１のルーバー６を９０度回転したときに前記切り欠き８と前記第１の突起７が勘合する構成とする。
【００３６】
上記構成により、ルーバー６をシャッター５Ａが開状態になる位置から９０度回転させて装着することで、ルーバー６の内面の第１の突起７はシャッター５Ａの切り欠き８に収まりシャッターを閉状態に維持することとなる。
【００３７】
このように、ルーバー装着の操作でシャッターを閉めた状態に維持することができる。
【００３８】
（実施の形態３）
本実施の形態では、実施の形態１および２の構成要素に対して同一のものは、同一の符号をつけてその詳細な説明は省略する。
【００３９】
図６〜図９に示すように、本実施の形態では、ルーバ６Ａに第１の突起７と直交してシャッター５の回転する軸位置に当接する１対の第２の突起９を設けた構成としたものである。
【００４０】
上記構成により、ルーバー６Ａをシャッター５Ａが開状態になる位置から９０度回転させて装着することで、ルーバー６Ａの内面の第１の突起７はシャッターの切り欠きに収まりシャッターを閉状態に維持し、さらにルーバー６Ａの内面の第２の突起９が回転軸に対して９０度回転した向きに当接することでシャッター５Ａを閉状態へ確実に固定することとなる。
【００４１】
このように、ルーバー装着の操作でシャッターを開くことができ、また、ルーバーを９０度回転させて装着することで閉めた状態に固定できることとなる。
【００４２】
（実施の形態４）
本実施の形態では、実施の形態１〜３の構成要素に対して同一のものは、同一の符号を付して詳細な説明は省略する。
【００４３】
図１０〜図１２に示すように、シャッター５Ｂの回転軸４Ａに摩擦係数の大きくする凹凸１０を設け、ルーバー６Ｂの内面に前記凹凸１０に当接する第３の突起１１を設けた構成とする。
【００４４】
上記構成により、ルーバー６Ｂを装着した際に第３の突起１１がシャッター５Ｂの回転軸４Ａの凹凸１０に当接して、摩擦の力で開状態又は閉状態を保持することとなる。
【００４５】
このように、ルーバーを装着した状態でシャッターが開状態又は閉状態で固定することができることとなる。
【００４６】
（実施の形態５）
本実施の形態では、実施の形態１〜４の構成要素に対して同一のものは、同一の符号を付して詳細な説明は省略する。
【００４７】
図１３および図１４に示すように、本実施の形態に第１の突起７Ａは、実施の形態１〜４のものに対して、シャッター５の回転軸４に対して直角方向に摺動可能にする構成とする。
【００４８】
上記構成により、ルーバー６Ｃの第１の突起７Ａを任意の位置に稼動して装着することでシャッター５の開度を換えることができる。すなわち、回転軸４に近い位置に第１の突起７Ａを摺動させた場合にシャッター５の開度を大きくさせ、回転軸４より遠い位置に第１の突起７Ａを摺動させた場合にシャッター５の開度を小さくさせることができるものであり、第１の突起７Ａをあらかじめ互いに左右の最も離れたところに位置させておき、ルーバー６Ｃを取り付けて、その後に第１の突起７Ａを摺動させることでシャッター５を好みの開度に自在に調節することができるものである。
【００４９】
このように、ルーバーを取り付けた状態で、シャッターの開度を好みの開度に容易に調節できるという効果のある換気グリルを提供することができる。
【００５０】
なお、本実施の形態では、シャッターを閉じる方向に作用する手段を備えていないが、換気グリルを天井面に付けてシャッターに重力がかかるようにした場合は、または、ばね等を用いて閉じる方向の力を加えておくことでルーバーを取り付けた状態でシャッターの開度を調整自在に開け閉めできる。
【００５１】
（実施の形態６）
図１５示すように、実施の形態５に対して、ルーバー６Ｄは、第１の突起７Ａの近傍に目盛り１２を設けた構成とする。
【００５２】
上記構成により、第１の突起７Ａの位置を目盛り１２に合わせて装着することで開度を解りやすく換えることができる。
【００５３】
このように、シャッターの開度調節を容易にできるという効果のある換気グリルを提供することができることとなる。
【００５４】
（実施の形態７）
図１６に示すように、１対のシャッター５Ｃの回動軸４Ｂをフランジ部１Ａ表面に対し、上部を手前側に下部を奥側に傾けて角度付けて設けた構成とする。
【００５５】
上記構成により、壁面に取り付けた場合でもルーバーを取り外したときにシャッター５Ｃは、自重が働き手前側に重力を受け回転力が働き閉じることとなる。
【００５６】
このように、壁面に取り付けた場合にもルーバーを取り外したときにシャッターを閉じることができることとなる。
【産業上の利用可能性】
【００５７】
本発明の換気グリルは、室内側と室外側を連通するように天井面、壁面に設けられるダクトに装着され、シャッターの開閉の操作が容易にしやすい室内を換気する坩気グリルとして有用である。
【図面の簡単な説明】
【００５８】
【図１】本発明の実施の形態１の換気グリルの構成を示す斜視図
【図２】同換気グリルのルーバーを示す斜視図
【図３】同換気グリルの構成を示す断面図
【図４】本発明の実施の形態２の換気グリルの構成を示す斜視図
【図５】同換気グリルの構成を示す断面図
【図６】本発明の実施の形態３の換気グリルの構成を示す斜視図
【図７】同換気グリルのルーバーを示す斜視図
【図８】同換気グリルの構成を示す断面図
【図９】同換気グリルの構成を示す断面図
【図１０】本発明の実施の形態４の換気グリルのシャッターを示す斜視図
【図１１】同換気グリルのルーバーを示す斜視図
【図１２】同換気グリルの構成を示す断面図
【図１３】本発明の実施の形態５の換気グリルのルーバーを示す斜視図
【図１４】同換気グリルの構成を示す断面図
【図１５】本発明の実施の形態６の換気グリルのルーバーを示す斜視図
【図１６】本発明の実施の形態７の換気グリルの構成を示す断面図
【図１７】従来の換気グリルの構成を示す斜視図
【符号の説明】
【００５９】
１、１Ａ  フランジ部
２    筒部
３    室内側開口
４、４Ａ  回転軸
５、５Ａ、５Ｂ、５Ｃ  シャッター
６、６Ａ、６Ｂ、６Ｃ、６Ｄ  ルーバー
７、７Ａ  第１の突起
８    切り欠き
９    第２の突起
１０  凹凸
１１  第３の突起
１２  目盛り
【図１】
2008267763.tif 000003
【図２】
2008267763.tif 000004
【図３】
2008267763.tif 000005
【図４】
2008267763.tif 000006
【図５】
2008267763.tif 000007
【図６】
2008267763.tif 000008
【図７】
2008267763.tif 000009
【図８】
2008267763.tif 000010
【図９】
2008267763.tif 000011
【図１０】
2008267763.tif 000012
【図１１】
2008267763.tif 000013
【図１２】
2008267763.tif 000014
【図１３】
2008267763.tif 000015
【図１４】
2008267763.tif 000016
【図１５】
2008267763.tif 000017
【図１６】
2008267763.tif 000018
【図１７】
2008267763.tif 000019